(57)【要約】【課題】リンクプレートの変形を生じ難くなるようにする。【解決手段】汚泥掻き寄せ具の取り付け用無端チェーン２に形成してあるノッチ１４に、駆動回転体に設けてある軸部材を係合させてある汚泥掻き寄せ機における無端チェーンの駆動構造であって、リンクプレート１２の駆動回転体側とは逆の側縁部３６に、ノッチ１４の形状に略沿った形状で板面に沿う方向に膨出する膨出部３７を形成して補強されている。【選択図】図６
2012232851.tif 000002
【特許請求の範囲】
【請求項１】
汚泥掻き寄せ具を回動方向に間隔を隔てて取り付けてある無端チェーンと、その無端チ
ェーンを巻き掛けて駆動回動させる駆動回転体とを備え、
前記駆動回転体の周部には、複数の軸部材が周方向に間隔を隔てて回転軸芯に沿う姿勢
で設けられ、
前記無端チェーンが、回動方向で隣り合うリンクプレートどうしの夫々を、板面が前記
駆動回転体の径方向に沿う姿勢で相対揺動自在に連結して構成され、
前記リンクプレートの夫々の前記駆動回転体側の側縁部には、前記軸部材を係合させる
ノッチが形成され、
前記ノッチに前記軸部材を係合させた状態で前記駆動回転体を回転させて、前記無端チ
ェーンを駆動回動させるように構成されている汚泥掻き寄せ機における無端チェーンの駆
動構造であって、
前記リンクプレートの前記駆動回転体側とは逆の側縁部に、前記ノッチの形状に略沿った形状で板面に沿う方向に膨出する膨出部を形成して補強されている汚泥掻き寄せ機における無端チェーンの駆動構造。
【請求項２】
前記ノッチの形状が、前記無端チェーンを汚泥掻き寄せ用回動方向に回動させるときに、前記軸部材がその外周面に沿って係合可能な正転用係合部分と、前記無端チェーンを汚泥掻き寄せ用回動方向とは逆方向に駆動回動させるときに、前記軸部材がその外周面に沿って係合可能な逆転用係合部分とを備えた形状に形成され、前記正転用係合部分と前記逆転用係合部分の夫々が前記膨出部で補強されている請求項１記載の汚泥掻き寄せ機における無端チェーンの駆動構造。
【請求項３】
前記ノッチが、前記リンクプレートの端面と面一に連続するフランジ面を備えたフランジを設けて補強されている請求項１又は２記載の汚泥掻き寄せ機における無端チェーンの駆動構造。
【請求項４】
前記ノッチの形状が、前記無端チェーンを汚泥掻き寄せ用回動方向に回動させるときに、前記軸部材がその外周面に沿って係合可能な正転用係合部分と、前記無端チェーンを汚泥掻き寄せ用回動方向とは逆方向に駆動回動させるときに、前記軸部材がその外周面に沿って係合可能な逆転用係合部分とを備えた形状に形成され、前記正転用係合部分と前記逆転用係合部分の夫々が前記フランジで補強されている請求項３記載の汚泥掻き寄せ機における無端チェーンの駆動構造。
【発明の詳細な説明】
【技術分野】
【０００１】
本発明は、汚泥掻き寄せ具を回動方向に間隔を隔てて取り付けてある無端チェーンと、その無端チェーンを巻き掛けて駆動回動させる駆動回転体とを備え、前記駆動回転体の周部には、複数の軸部材が周方向に間隔を隔てて回転軸芯に沿う姿勢で設けられ、前記無端チェーンが、回動方向で隣り合うリンクプレートどうしの夫々を、板面が前記駆動回転体の径方向に沿う姿勢で相対揺動自在に連結して構成され、前記リンクプレートの夫々の前記駆動回転体側の側縁部には、前記軸部材を係合させるノッチが形成され、前記ノッチに前記軸部材を係合させた状態で前記駆動回転体を回転させて、前記無端チェーンを駆動回動させるように構成されている汚泥掻き寄せ機における無端チェーンの駆動構造に関する。
【背景技術】
【０００２】
従来の上記汚泥掻き寄せ機における無端チェーンの駆動構造では、図８に示すように、ノッチ１４の形状が、無端チェーン２を汚泥掻き寄せ用回動方向（正転方向）に回動させるときに、軸部材１０がその外周面に沿って係合可能な正転用係合部分３３と、その正転用係合部分３３の汚泥掻き寄せ用回動方向上手側の端縁に一連に連続する連続部分３５とを備えた形状に形成され、連続部分３５は、リンクプレート１２どうしを連結している前後一対の連結ピン４１の軸芯どうしを結ぶ線分Ｈと略平行に形成してある（例えば、特許文献１参照。）。
【先行技術文献】
【特許文献】
【０００３】
【特許文献１】特開２００２−３１２１４号公報
【発明の概要】
【発明が解決しようとする課題】
【０００４】
このために、汚泥掻き寄せ用回動方向とは逆方向（逆転方向）に無端チェーン２を駆動回動させる必要が生じた場合は、図８に示すように、軸部材１０とリンクプレート１２とが軸部材１０の軸芯方向に沿う線当たりになり、軸部材１０とリンクプレート１２とが互いに滑り易くて、無端チェーン２を効率良く逆方向に駆動回動させ難いとともに、軸部材１０による押圧力がリンクプレート１２に対して線当たり部分に沿って集中的に作用して、リンクプレート１２や軸部材１０が変形し易い欠点がある。
本発明は上記実情に鑑みてなされたものであって、無端チェーンを汚泥掻き寄せ用回動方向とは逆方向に効率良く駆動回動させることができ、リンクプレートや軸部材の変形も生じ難くなるようにすることを目的とする。
【課題を解決するための手段】
【０００５】
本発明の第１特徴構成は、汚泥掻き寄せ具を回動方向に間隔を隔てて取り付けてある無端チェーンと、その無端チェーンを巻き掛けて駆動回動させる駆動回転体とを備え、
前記駆動回転体の周部には、複数の軸部材が周方向に間隔を隔てて回転軸芯に沿う姿勢で設けられ、前記無端チェーンが、回動方向で隣り合うリンクプレートどうしの夫々を、板面が前記駆動回転体の径方向に沿う姿勢で相対揺動自在に連結して構成され、
前記リンクプレートの夫々の前記駆動回転体側の側縁部には、前記軸部材を係合させるノッチが形成され、前記ノッチに前記軸部材を係合させた状態で前記駆動回転体を回転させて、前記無端チェーンを駆動回動させるように構成されている汚泥掻き寄せ機における無端チェーンの駆動構造であって、
前記ノッチの形状が、前記無端チェーンを汚泥掻き寄せ用回動方向に回動させるときに、前記軸部材がその外周面に沿って係合可能な正転用係合部分と、前記無端チェーンを汚泥掻き寄せ用回動方向とは逆方向に駆動回動させるときに、前記軸部材がその外周面に沿って係合可能な逆転用係合部分と、前記正転用係合部分と前記逆転用係合部分のチェーン回動方向で互いに対向する端縁どうしを、前記軸部材の回動軌跡と略平行に連続する連続部分とを備えた形状に形成されている点にある。
【０００６】
〔作用及び効果〕
ノッチの形状が、無端チェーンを汚泥掻き寄せ用回動方向に回動させるときに、軸部材がその外周面に沿って係合可能な正転用係合部分と、無端チェーンを汚泥掻き寄せ用回動方向とは逆方向に駆動回動させるときに、軸部材がその外周面に沿って係合可能な逆転用係合部分とを備えているので、無端チェーンを汚泥掻き寄せ用回動方向に回動させるときも、無端チェーンを汚泥掻き寄せ用回動方向とは逆方向に駆動回動させるときも、軸部材とリンクプレートとが面当たりになり、無端チェーンを汚泥掻き寄せ用回動方向とは逆方向に駆動回動させるときに、軸部材による押圧力をリンクプレートに対して面当たり部分に分散して作用させて、リンクプレートや軸部材の変形を防止できるとともに、軸部材とリンクプレートとが互いに滑り難くなる。
したがって、無端チェーンを汚泥掻き寄せ用回動方向とは逆方向に効率良く駆動回動させることができ、リンクプレートや軸部材の変形も生じ難い。
また、正転から逆転に切り換える時も、逆転から正転に切り換える時も、円滑な移動が可能となる。
【０００７】
本発明の第２特徴構成は、前記逆転用係合部分が補強されている点にある。
【０００８】
〔作用及び効果〕
逆転用係合部分を形成したことによるリンクプレートの強度低下を防止することができる。
【０００９】
本発明の第３特徴構成は、前記正転用係合部分と前記逆転用係合部分の夫々が、前記リンクプレートの前記駆動回転体側とは逆の側縁部に、前記ノッチの形状に略沿った形状で板面に沿う方向に膨出する膨出部を形成して補強されている点にある。
【００１０】
〔作用及び効果〕
リンクプレートに膨出部を形成して、正転用係合部分と逆転用係合部分の夫々を補強することができる
【００１１】
本発明の第４特徴構成は、前記正転用係合部分と前記逆転用係合部分の夫々が、前記リンクプレートの端面と面一に連続するフランジ面を備えたフランジを設けて補強されている点にある。
【００１２】
〔作用及び効果〕
無端チェーンを汚泥掻き寄せ用回動方向に回動させるときも、無端チェーンを汚泥掻き寄せ用回動方向とは逆方向に駆動回動させるときも、軸部材とリンクプレートとを広い面積で面当たりさせることができ、リンクプレートや軸部材の変形が一層生じ難い。
【００１３】
本発明の第５特徴構成は、前記ノッチが、前記リンクプレートの汚泥掻き寄せ用回動方向上手側に片寄せて形成されている点にある。
【００１４】
〔作用及び効果〕
ノッチが、リンクプレートの汚泥掻き寄せ用回動方向上手側に片寄せて形成されているので、無端チェーンの駆動回動時において、駆動回転体に対する巻き掛け箇所における各リンクプレートの姿勢を、駆動回転体に対してその接線方向に略沿う姿勢、つまり、リンクプレートどうしを連結している前後一対の連結ピンの軸芯どうしを結ぶ線分が駆動回転体の接線方向に略沿う姿勢に維持し易く、無端チェーンを円滑に駆動回動させることができる。
つまり、駆動回転体に巻き掛けてある無端チェーンのうちの、駆動回転体の駆動回転に伴って引っ張られる汚泥掻き寄せ用回動方向上手側の上手側無端チェーン部分には、汚泥掻き寄せ用回動方向下手側の下手側無端チェーン部分に比べて強い張力が作用するので、軸部材がノッチに係合しているリンクプレートのうちの、軸部材よりも汚泥掻き寄せ用回動方向上手側の上手側リンクプレート部分に作用する張力が、軸部材よりも汚泥掻き寄せ用回動方向下手側の下手側リンクプレート部分に作用する張力よりも大きく、下手側リンクプレート部分が、軸部材を支点にして、駆動回転体から浮き上がる方向に揺動し易い。
このため、軸部材を支点にして、その支点周りでの、上手側リンクプレート部分に作用する強い張力により発生するモーメントと、下手側リンクプレート部分に作用する弱い張力により発生するモーメントとが釣り合い易いように、ノッチを汚泥掻き寄せ用回動方向上手側に片寄せて形成してあるので、無端チェーンの駆動回動時において、下手側リンクプレート部分が駆動回転体から浮き上がる方向に揺動し難くなり、駆動回転体に対する巻き掛け箇所における各リンクプレートの姿勢を駆動回転体の接線方向に略沿う姿勢に維持し易い。
【図面の簡単な説明】
【００１５】
【図１】沈殿池の縦断面図
【図２】（ａ）無端回動体と駆動回転体との噛み合いを示す一部切欠き側面図、（ｂ）無端回動体と駆動回転体との噛み合いを示す要部平面図
【図３】要部の平面図
【図４】要部の側面図
【図５】要部の断面図
【図６】（ａ）要部の平面図、（ｂ）要部の側面図、（ｃ）要部の底面図
【図７】無端回動体と駆動回転体との噛み合いを示す拡大側面図
【図８】従来の無端チェーンと駆動回転体との噛み合いを示す拡大側面図
【発明を実施するための形態】
【００１６】
以下に本発明の実施の形態を図面に基づいて説明する。尚、図面において従来例と同一の符号で表示した部分は、同一又は相当の部分を示している。
図１は、汚水処理設備における沈澱池Ａの縦断面を示し、汚泥掻き寄せ機ＢとスカムスキマＣとが設置され、汚泥掻き寄せ機Ｂには、本発明による無端チェーン２の駆動構造が設けられている。
【００１７】
前記汚泥掻き寄せ機Ｂは、汚泥掻き寄せ具１を回動方向に間隔を隔てて取り付けてある無端回動体としての左右一対の無端チェーン２の夫々が、横軸芯Ｘ周りで回転する駆動回転体としての駆動スプロケット３と、従動回転体としての第１〜第３従動スプロケット４（４ａ，４ｂ，４ｃ）とに亘って回動自在に巻き掛けられ、駆動スプロケット３を駆動回転させる駆動装置５を設けてある。
【００１８】
前記駆動スプロケット３は、沈澱池Ａの長手方向端部における水面ＷＬ近くに支持され、第１従動スプロケット４ａは、沈澱池Ａの長手方向略中央における水面ＷＬ近くに支持され、第２，第３従動スプロケット４ｂ，４ｃは、沈澱池Ａの長手方向両端側における底面６近くに支持されている。
【００１９】
前記駆動スプロケット３は、図２に示すように、回転軸部材７を挿通するボス８の外周側に、二枚の円板部材９を互いに平行に同芯状に設けて、その二枚の円板部材９に亘って、複数の円柱状軸部材である係合ピン１０を周方向に等間隔を隔てて回転軸芯Ｘに沿う姿勢で固定してあり、第１〜第３従動スプロケット４ａ，４ｂ，４ｃの夫々は、図３に示すように、無端チェーン２を入り込ませる周溝１１をその外周部に設けてある。
【００２０】
前記無端チェーン２は、図２に示すように、回動方向で隣り合うリンクプレート１２どうしの夫々を、板面が駆動スプロケット３の径方向に沿う姿勢で、連結ピン４１で相対揺動自在に連結してある合成樹脂製ノッチチェーンで構成され、リンクプレート１２の夫々の駆動スプロケット３側の側縁部１３に、係合ピン１０を係合させるノッチ１４がそのリンクプレート１２の汚泥掻き寄せ用回動方向（正転方向）上手側に片寄せて形成されている。
【００２１】
そして、ノッチチェーン２を駆動スプロケット３及び第１〜第３従動スプロケット４ａ，４ｂ，４ｃにおける二枚の円板部材９の間に入り込ませてノッチ１４に係合ピン１０を係合させた状態で、駆動装置５による駆動スプロケット３の駆動回転で、左右一対のノッチチェーン２を駆動回動させて、各汚泥掻き寄せ具１を、駆動スプロケット３，第１従動スプロケット４ａ，第２従動スプロケット４ｂ，第３従動スプロケット４ｃの順に経由するように循環移動させ、駆動スプロケット３側から第１従動スプロケット４ａ側に向けた移動で、沈澱池Ａの水面ＷＬ近くに浮いているスカムをスカムスキマＣ側に掻き寄せ、第２従動スプロケット４ｂ側から第３従動スプロケット４ｃ側に向けた移動で、沈澱池Ａの底面６近くに沈澱している汚泥を沈澱池Ａの底部に設けてある排出溝１５に掻き寄せることができるように構成してある。
【００２２】
前記ノッチチェーン２のスプロケット３，４ａ，４ｂ，４ｃに対する非巻き掛け部分、具体的には、図１に示すように、第１従動スプロケット４ａと第２従動スプロケット４ｂとの間における非巻き掛け部分１６を、その回動径路の外周側から内周側に向けて押圧することにより、そのノッチチェーン２に張力を付与する押圧部材１７が設けられている。
【００２３】
前記押圧部材１７は、図３，図４に示すように、ノッチチェーン２の回動移動に従動して回転自在な回転部材としての遊転ローラで構成してあり、この遊転ローラ１７は、第１従動スプロケット４ａの回転横軸芯Ｘと略平行な回転軸芯Ｙ周りで回転自在に揺動部材１９に支持してあり、揺動部材１９は、従動スプロケット４ａを回転自在に支持している支軸部材２０に、その従動スプロケット４ａの回転横軸芯Ｘと略平行な揺動軸芯Ｚ周りで自重揺動自在に支持されている。
【００２４】
前記揺動部材１９は、左右一対の揺動アーム２１と、一対の揺動アーム２１の遊端側どうしを互いに着脱自在に連結している連結フレーム２２とを備えていて、各揺動アーム２１の基端側を、第１従動スプロケット４ａの支軸部材２０に固定してあるブラケット２３にピン連結して、そのピンの軸芯を揺動軸芯Ｚとしてあり、連結フレーム２２は、揺動部材１９の重心位置Ｐ１と揺動軸芯Ｚとの水平距離Ｌ１を長くするための錘としての機能を備えている。
【００２５】
前記連結フレーム２２は、必要に応じて、重量が異なる連結フレーム２２に取り替えて、揺動部材１９を、その重量Ｗを調節可能に設けてある。
尚、連結フレーム２２を省略して、錘としての機能を備えている重量部材を一対の揺動アーム２１夫々の遊端側に着脱自在に固定して、必要に応じて、重量が異なる重量部材を固定して、揺動部材１９を、その重量Ｗを調節可能に設けてあっても良い。
【００２６】
前記揺動アーム２１の夫々は、長手方向の略中央部が上向きに屈曲する形状、つまり、側面視でくの字状に形成され、一対の揺動アーム２１の屈曲部近くどうしを支軸部材２４で連結して、一対の遊転ローラ１７の夫々をその支軸部材２４に回転軸芯Ｙ周りで回転自在に支持してある。
【００２７】
前記遊転ローラ１７は、図５に示すように、支軸部材２４を挿通した互いに平行な二枚の円板部材２５どうしを、スペーサ２６を挟んで、互いにボルト連結して構成してあり、遊転ローラ１７の抜け止め部材２７を支軸部材２４に固定してある。
【００２８】
前記二枚の円板部材２５の互いに対向する内側周縁の夫々にガイドとしての段差２８を環状に形成して、この段差２８部分の間に、リンクプレート１２の外周側を入り込ませて、遊転ローラ１７とノッチチェーン２との揺動軸芯Ｚに沿う方向への相対移動を規制する移動規制部が設けられている。
【００２９】
そして、図４に示すように、遊転ローラ１７のノッチチェーン２に対する押圧位置Ｐ２を通って、その遊転ローラ１７のノッチチェーン２に対する押圧方向に沿う仮想線分Ｄと、揺動軸芯Ｚとの、仮想線分Ｄに対して直交する方向に沿う距離Ｌ２が、揺動部材１９の重心位置Ｐ１と揺動軸芯Ｚとの水平距離Ｌ１よりも短くなり、かつ、揺動部材１９の重心位置Ｐ１が揺動軸芯Ｚよりも高い位置に保持されるように、揺動部材１９が支持されている。
【００３０】
前記ノッチチェーン２を構成しているリンクプレート１２は、図６に示すように、汚泥掻き寄せ用回動方向（正転方向）下手側に隣り合うリンクプレート１２に対して、その両側面を挟み込むように連結するための連結ピン４１を挿通するボス２９を形成してある一対の外側プレート部３０と、汚泥掻き寄せ用回動方向（正転方向）上手側に隣り合うリンクプレート１２に対して、その一対の外側プレート部３０に挟み込まれるように連結するための連結ピン４１を挿通するボス３１を形成してある内側プレート部３２とを備えた平面視で略Ｙ字状に形成され、外側プレート部３０の夫々の駆動スプロケット３側に向ける側縁部１３にノッチ１４が形成されている。
【００３１】
前記ノッチ１４の形状は、図７にも示すように、ノッチチェーン２を汚泥掻き寄せ用回動方向（正転方向）に回動させるときに、係合ピン１０がその外周面に沿って一連に係合可能な円弧状の正転用係合部分３３と、ノッチチェーン２を汚泥掻き寄せ用回動方向とは逆方向（逆転方向）に駆動回動させるときに、係合ピン１０がその外周面に沿って一連に係合可能な円弧状の逆転用係合部分３４と、正転用係合部分３３と逆転用係合部分３４のチェーン回動方向で互いに対向する端縁どうしを、係合ピン１０の回動軌跡Ｅと略平行に沿わせて一連に連続させる連続部分３５とを備えた形状に形成されている。
【００３２】
また、正転用係合部分３３と逆転用係合部分３４の夫々を補強するために、リンクプレート１２の駆動スプロケット３側とは逆方向に向ける側縁部３６に、ノッチ１４の形状に略沿った形状で板面に沿う方向に膨出する膨出部３７が形成され、ノッチ１４の周縁には、ノッチ１４を形成している端面と面一に連続するフランジ面３８を備えたフランジ３９が、正転用係合部分３３と逆転用係合部分３４とに亘って、かつ、一対の外側プレート部３０に亘って一連に設けられている。
【００３３】
尚、正転用係合部分３３と逆転用係合部分３４の夫々は、円弧状が最適であるが、例えばだ円形の一部などの弧状であっても良い。
また、正転用係合部分３３と逆転用係合部分３４の夫々を補強するために、ノッチ１４の形成部位に、強度のある部材をはり付けたり、埋め込んだりしても良い。
【符号の説明】
【００３４】
１  汚泥掻き寄せ具
２  無端チェーン
３  駆動回転体
１０  円柱状軸部材
１２  リンクプレート
１３  駆動回転体側の側縁部
１４  ノッチ
３３  正転用係合部分
３４  逆転用係合部分
３５  連続部分
３６  駆動回転体側とは逆の側縁部
３７  膨出部
３８  フランジ面
３９  フランジ
Ｘ  回転軸芯
【図１】
2012232851.tif 000003
【図２】
2012232851.tif 000004
【図３】
2012232851.tif 000005
【図４】
2012232851.tif 000006
【図５】
2012232851.tif 000007
【図６】
2012232851.tif 000008
【図７】
2012232851.tif 000009
【図８】
2012232851.tif 000010
【手続補正書】
【提出日】平成24年7月23日(2012.7.23)
【手続補正１】
【補正対象書類名】明細書
【補正対象項目名】全文
【補正方法】変更
【補正の内容】
【発明の詳細な説明】
【技術分野】
【０００１】
本発明は、汚泥掻き寄せ具を回動方向に間隔を隔てて取り付けてある無端チェーンと、その無端チェーンを巻き掛けて駆動回動させる駆動回転体とを備え、前記駆動回転体の周部には、複数の軸部材が周方向に間隔を隔てて回転軸芯に沿う姿勢で設けられ、前記無端チェーンが、回動方向で隣り合うリンクプレートどうしの夫々を、板面が前記駆動回転体の径方向に沿う姿勢で相対揺動自在に連結して構成され、前記リンクプレートの夫々の前記駆動回転体側の側縁部には、前記軸部材を係合させるノッチが形成され、前記ノッチに前記軸部材を係合させた状態で前記駆動回転体を回転させて、前記無端チェーンを駆動回動させるように構成されている汚泥掻き寄せ機における無端チェーンの駆動構造に関する。
【背景技術】
【０００２】
従来の上記汚泥掻き寄せ機における無端チェーンの駆動構造では、図８に示すように、ノッチ１４の形状が、無端チェーン２を汚泥掻き寄せ用回動方向（正転方向）に回動させるときに、軸部材１０がその外周面に沿って係合可能な正転用係合部分３３と、その正転用係合部分３３の汚泥掻き寄せ用回動方向上手側の端縁に一連に連続する連続部分３５とを備えた形状に形成され、連続部分３５は、リンクプレート１２どうしを連結している前後一対の連結ピン４１の軸芯どうしを結ぶ線分Ｈと略平行に形成してある（例えば、特許文献１参照。）。
【先行技術文献】
【特許文献】
【０００３】
【特許文献１】特開２００２−３１２１４号公報
【発明の概要】
【発明が解決しようとする課題】
【０００４】
このために、汚泥掻き寄せ用回動方向とは逆方向（逆転方向）に無端チェーン２を駆動回動させる必要が生じた場合は、図８に示すように、軸部材１０とリンクプレート１２とが軸部材１０の軸芯方向に沿う線当たりになり、リンクプレート１２が変形し易い欠点がある。
本発明は上記実情に鑑みてなされたものであって、リンクプレートの変形が生じ難くなるようにすることを目的とする。
【課題を解決するための手段】
【０００５】
本発明の汚泥掻き寄せ機における無端チェーンの駆動構造は、
汚泥掻き寄せ具を回動方向に間隔を隔てて取り付けてある無端チェーンと、その無端チ
ェーンを巻き掛けて駆動回動させる駆動回転体とを備え、
前記駆動回転体の周部には、複数の軸部材が周方向に間隔を隔てて回転軸芯に沿う姿勢
で設けられ、
前記無端チェーンが、回動方向で隣り合うリンクプレートどうしの夫々を、板面が前記
駆動回転体の径方向に沿う姿勢で相対揺動自在に連結して構成され、
前記リンクプレートの夫々の前記駆動回転体側の側縁部には、前記軸部材を係合させる
ノッチが形成され、
前記ノッチに前記軸部材を係合させた状態で前記駆動回転体を回転させて、前記無端チ
ェーンを駆動回動させるように構成されている汚泥掻き寄せ機における無端チェーンの駆
動構造であって、
前記リンクプレートの前記駆動回転体側とは逆の側縁部に、前記ノッチの形状に略沿った形状で板面に沿う方向に膨出する膨出部を形成して補強されている。
【０００６】
上記構成において、前記ノッチの形状が、前記無端チェーンを汚泥掻き寄せ用回動方向に回動させるときに、前記軸部材がその外周面に沿って係合可能な正転用係合部分と、前記無端チェーンを汚泥掻き寄せ用回動方向とは逆方向に駆動回動させるときに、前記軸部材がその外周面に沿って係合可能な逆転用係合部分とを備えた形状に形成され、前記正転用係合部分と前記逆転用係合部分の夫々が前記膨出部で補強されていると好適である。
また、前記ノッチが、前記リンクプレートの端面と面一に連続するフランジ面を備えたフランジを設けて補強されていると好適である。
また、前記ノッチの形状が、前記無端チェーンを汚泥掻き寄せ用回動方向に回動させるときに、前記軸部材がその外周面に沿って係合可能な正転用係合部分と、前記無端チェーンを汚泥掻き寄せ用回動方向とは逆方向に駆動回動させるときに、前記軸部材がその外周面に沿って係合可能な逆転用係合部分とを備えた形状に形成され、前記正転用係合部分と前記逆転用係合部分の夫々が前記フランジで補強されていると好適である。
【０００７】
【０００８】
【０００９】
【００１０】
【００１１】
【００１２】
【００１３】
【００１４】
【図面の簡単な説明】
【００１５】
【図１】沈殿池の縦断面図
【図２】（ａ）無端回動体と駆動回転体との噛み合いを示す一部切欠き側面図、（ｂ）無端回動体と駆動回転体との噛み合いを示す要部平面図
【図３】要部の平面図
【図４】要部の側面図
【図５】要部の断面図
【図６】（ａ）要部の平面図、（ｂ）要部の側面図、（ｃ）要部の底面図
【図７】無端回動体と駆動回転体との噛み合いを示す拡大側面図
【図８】従来の無端チェーンと駆動回転体との噛み合いを示す拡大側面図
【発明を実施するための形態】
【００１６】
以下に本発明の実施の形態を図面に基づいて説明する。尚、図面において従来例と同一の符号で表示した部分は、同一又は相当の部分を示している。
図１は、汚水処理設備における沈澱池Ａの縦断面を示し、汚泥掻き寄せ機ＢとスカムスキマＣとが設置され、汚泥掻き寄せ機Ｂには、本発明による無端チェーン２の駆動構造が設けられている。
【００１７】
前記汚泥掻き寄せ機Ｂは、汚泥掻き寄せ具１を回動方向に間隔を隔てて取り付けてある無端回動体としての左右一対の無端チェーン２の夫々が、横軸芯Ｘ周りで回転する駆動回転体としての駆動スプロケット３と、従動回転体としての第１〜第３従動スプロケット４（４ａ，４ｂ，４ｃ）とに亘って回動自在に巻き掛けられ、駆動スプロケット３を駆動回転させる駆動装置５を設けてある。
【００１８】
前記駆動スプロケット３は、沈澱池Ａの長手方向端部における水面ＷＬ近くに支持され、第１従動スプロケット４ａは、沈澱池Ａの長手方向略中央における水面ＷＬ近くに支持され、第２，第３従動スプロケット４ｂ，４ｃは、沈澱池Ａの長手方向両端側における底面６近くに支持されている。
【００１９】
前記駆動スプロケット３は、図２に示すように、回転軸部材７を挿通するボス８の外周側に、二枚の円板部材９を互いに平行に同芯状に設けて、その二枚の円板部材９に亘って、複数の円柱状軸部材である係合ピン１０を周方向に等間隔を隔てて回転軸芯Ｘに沿う姿勢で固定してあり、第１〜第３従動スプロケット４ａ，４ｂ，４ｃの夫々は、図３に示すように、無端チェーン２を入り込ませる周溝１１をその外周部に設けてある。
【００２０】
前記無端チェーン２は、図２に示すように、回動方向で隣り合うリンクプレート１２どうしの夫々を、板面が駆動スプロケット３の径方向に沿う姿勢で、連結ピン４１で相対揺動自在に連結してある合成樹脂製ノッチチェーンで構成され、リンクプレート１２の夫々の駆動スプロケット３側の側縁部１３に、係合ピン１０を係合させるノッチ１４がそのリンクプレート１２の汚泥掻き寄せ用回動方向（正転方向）上手側に片寄せて形成されている。
【００２１】
そして、ノッチチェーン２を駆動スプロケット３及び第１〜第３従動スプロケット４ａ，４ｂ，４ｃにおける二枚の円板部材９の間に入り込ませてノッチ１４に係合ピン１０を係合させた状態で、駆動装置５による駆動スプロケット３の駆動回転で、左右一対のノッチチェーン２を駆動回動させて、各汚泥掻き寄せ具１を、駆動スプロケット３，第１従動スプロケット４ａ，第２従動スプロケット４ｂ，第３従動スプロケット４ｃの順に経由するように循環移動させ、駆動スプロケット３側から第１従動スプロケット４ａ側に向けた移動で、沈澱池Ａの水面ＷＬ近くに浮いているスカムをスカムスキマＣ側に掻き寄せ、第２従動スプロケット４ｂ側から第３従動スプロケット４ｃ側に向けた移動で、沈澱池Ａの底面６近くに沈澱している汚泥を沈澱池Ａの底部に設けてある排出溝１５に掻き寄せることができるように構成してある。
【００２２】
前記ノッチチェーン２のスプロケット３，４ａ，４ｂ，４ｃに対する非巻き掛け部分、具体的には、図１に示すように、第１従動スプロケット４ａと第２従動スプロケット４ｂとの間における非巻き掛け部分１６を、その回動径路の外周側から内周側に向けて押圧することにより、そのノッチチェーン２に張力を付与する押圧部材１７が設けられている。
【００２３】
前記押圧部材１７は、図３，図４に示すように、ノッチチェーン２の回動移動に従動して回転自在な回転部材としての遊転ローラで構成してあり、この遊転ローラ１７は、第１従動スプロケット４ａの回転横軸芯Ｘと略平行な回転軸芯Ｙ周りで回転自在に揺動部材１９に支持してあり、揺動部材１９は、従動スプロケット４ａを回転自在に支持している支軸部材２０に、その従動スプロケット４ａの回転横軸芯Ｘと略平行な揺動軸芯Ｚ周りで自重揺動自在に支持されている。
【００２４】
前記揺動部材１９は、左右一対の揺動アーム２１と、一対の揺動アーム２１の遊端側どうしを互いに着脱自在に連結している連結フレーム２２とを備えていて、各揺動アーム２１の基端側を、第１従動スプロケット４ａの支軸部材２０に固定してあるブラケット２３にピン連結して、そのピンの軸芯を揺動軸芯Ｚとしてあり、連結フレーム２２は、揺動部材１９の重心位置Ｐ１と揺動軸芯Ｚとの水平距離Ｌ１を長くするための錘としての機能を備えている。
【００２５】
前記連結フレーム２２は、必要に応じて、重量が異なる連結フレーム２２に取り替えて、揺動部材１９を、その重量Ｗを調節可能に設けてある。
尚、連結フレーム２２を省略して、錘としての機能を備えている重量部材を一対の揺動アーム２１夫々の遊端側に着脱自在に固定して、必要に応じて、重量が異なる重量部材を固定して、揺動部材１９を、その重量Ｗを調節可能に設けてあっても良い。
【００２６】
前記揺動アーム２１の夫々は、長手方向の略中央部が上向きに屈曲する形状、つまり、側面視でくの字状に形成され、一対の揺動アーム２１の屈曲部近くどうしを支軸部材２４で連結して、一対の遊転ローラ１７の夫々をその支軸部材２４に回転軸芯Ｙ周りで回転自在に支持してある。
【００２７】
前記遊転ローラ１７は、図５に示すように、支軸部材２４を挿通した互いに平行な二枚の円板部材２５どうしを、スペーサ２６を挟んで、互いにボルト連結して構成してあり、遊転ローラ１７の抜け止め部材２７を支軸部材２４に固定してある。
【００２８】
前記二枚の円板部材２５の互いに対向する内側周縁の夫々にガイドとしての段差２８を環状に形成して、この段差２８部分の間に、リンクプレート１２の外周側を入り込ませて、遊転ローラ１７とノッチチェーン２との揺動軸芯Ｚに沿う方向への相対移動を規制する移動規制部が設けられている。
【００２９】
そして、図４に示すように、遊転ローラ１７のノッチチェーン２に対する押圧位置Ｐ２を通って、その遊転ローラ１７のノッチチェーン２に対する押圧方向に沿う仮想線分Ｄと、揺動軸芯Ｚとの、仮想線分Ｄに対して直交する方向に沿う距離Ｌ２が、揺動部材１９の重心位置Ｐ１と揺動軸芯Ｚとの水平距離Ｌ１よりも短くなり、かつ、揺動部材１９の重心位置Ｐ１が揺動軸芯Ｚよりも高い位置に保持されるように、揺動部材１９が支持されている。
【００３０】
前記ノッチチェーン２を構成しているリンクプレート１２は、図６に示すように、汚泥掻き寄せ用回動方向（正転方向）下手側に隣り合うリンクプレート１２に対して、その両側面を挟み込むように連結するための連結ピン４１を挿通するボス２９を形成してある一対の外側プレート部３０と、汚泥掻き寄せ用回動方向（正転方向）上手側に隣り合うリンクプレート１２に対して、その一対の外側プレート部３０に挟み込まれるように連結するための連結ピン４１を挿通するボス３１を形成してある内側プレート部３２とを備えた平面視で略Ｙ字状に形成され、外側プレート部３０の夫々の駆動スプロケット３側に向ける側縁部１３にノッチ１４が形成されている。
【００３１】
前記ノッチ１４の形状は、図７にも示すように、ノッチチェーン２を汚泥掻き寄せ用回動方向（正転方向）に回動させるときに、係合ピン１０がその外周面に沿って一連に係合可能な円弧状の正転用係合部分３３と、ノッチチェーン２を汚泥掻き寄せ用回動方向とは逆方向（逆転方向）に駆動回動させるときに、係合ピン１０がその外周面に沿って一連に係合可能な円弧状の逆転用係合部分３４と、正転用係合部分３３と逆転用係合部分３４のチェーン回動方向で互いに対向する端縁どうしを、係合ピン１０の回動軌跡Ｅと略平行に沿わせて一連に連続させる連続部分３５とを備えた形状に形成されている。
【００３２】
また、正転用係合部分３３と逆転用係合部分３４の夫々を補強するために、リンクプレート１２の駆動スプロケット３側とは逆方向に向ける側縁部３６に、ノッチ１４の形状に略沿った形状で板面に沿う方向に膨出する膨出部３７が形成され、ノッチ１４の周縁には、ノッチ１４を形成している端面と面一に連続するフランジ面３８を備えたフランジ３９が、正転用係合部分３３と逆転用係合部分３４とに亘って、かつ、一対の外側プレート部３０に亘って一連に設けられている。
【００３３】
尚、正転用係合部分３３と逆転用係合部分３４の夫々は、円弧状が最適であるが、例えばだ円形の一部などの弧状であっても良い。
また、正転用係合部分３３と逆転用係合部分３４の夫々を補強するために、ノッチ１４の形成部位に、強度のある部材をはり付けたり、埋め込んだりしても良い。
【符号の説明】
【００３４】
１  汚泥掻き寄せ具
２  無端チェーン
３  駆動回転体
１０  円柱状軸部材
１２  リンクプレート
１３  駆動回転体側の側縁部
１４  ノッチ
３３  正転用係合部分
３４  逆転用係合部分
３５  連続部分
３６  駆動回転体側とは逆の側縁部
３７  膨出部
３８  フランジ面
３９  フランジ
Ｘ  回転軸芯